(57)【特許請求の範囲】
【請求項１】
画像を表示する表示手段と、前記表示手段に表示する前記画像を生成する表示制御手段と、前記表示手段に表示されたアイコン画像を選択する操作手段と、前記操作手段によって決定された操作履歴または外部機器からの信号の配信履歴を記録する記憶手段と、を備えた車両用表示装置であって、
前記表示制御手段は、前記操作履歴または前記配信履歴に記録された機能または配信内容を示す前記アイコン画像を前後方向に順次配置したように見える前記画像を生成し、
前記操作手段を、タッチパッド面を有するタッチパッドとし、
前記表示制御手段は、前記タッチパッド面が指で前後に移動指示されたのに応じて、前記アイコン画像の配置を前後に移動させ、
前記タッチパッド面を指で前後に移動指示する方向が前記アイコン画像が順次配置される前後方向となるように前記タッチパッド面を配設する
ことを特徴とする車両用表示装置。
【請求項２】
前記表示制御手段は、前記操作履歴または前記配信履歴に記録された機能または配信内容を示す前記アイコン画像をグループ毎にアイコン添付領域に配置し、前記操作履歴または前記配信履歴に記録された日時履歴または特性情報による優先度情報に基づいて前記アイコン添付領域の距離を変化させて配置されているように見える前記画像を生成することを特徴とする請求項１に記載の車両用表示装置。
【請求項３】
前記表示制御手段は、前記タッチパッド面が何本の指で操作されたかに応じて、前記アイコン添付領域と、前記アイコン添付領域にある前記アイコン画像とのどちらが選択されたかを判定する
ことを特徴とする請求項２に記載の車両用表示装置。
【請求項４】
前記表示制御手段は、前記タッチパッド面を操作する指の本数が２本以上である場合に前記アイコン添付領域を選択し、前記タッチパッド面を操作する指の本数が１本である場合に前記アイコン添付領域にある前記アイコン画像を選択することを特徴とする請求項３に記載の車両用表示装置。
【請求項５】
前記アイコン画像が順次配置される前後方向と、前記操作手段のタッチパッド面との位置関係が、平行であることを特徴とする請求項１乃至４のいずれか１項に記載の車両用表示装置。
【発明の詳細な説明】
【技術分野】
【０００１】
本発明は、機器の使用履歴を表示する車両用表示装置に関するものである。
【背景技術】
【０００２】
従来より、カーナビゲーションの目的地設定履歴や携帯電話の着発信履歴など、使用した履歴を表示する車両用表示装置が種々提案されており、例えば特許文献１に開示されている。斯かる車両用表示装置は、使用履歴を時間順にリスト形式で表示するものであり、通常の検索方法とは別にユーザーが頻繁に利用する項目を選びやすくした方法が採用されている。
【先行技術文献】
【特許文献】
【０００３】
【特許文献１】特開２００８−１６４４２０号公報
【発明の概要】
【発明が解決しようとする課題】
【０００４】
しかしながら、使用履歴がリスト形式で上から順に新しいものから古いものへと配列されているだけであるため、使用履歴が時間順であることとの関連性が薄く、直感的な操作とは言い難い。
本発明は、機器の操作履歴または外部機器からの配信情報の履歴を記録し、その履歴情報を立体的に表示することにより、直感的に履歴情報を探索できる車両用表示装置を提供するものである。
【課題を解決するための手段】
【０００５】
本発明は、画像を表示する表示手段１４と、前記表示手段１４に表示する前記画像を生成する表示制御手段１３と、前記表示手段１４に表示されたアイコン画像２２を選択する操作手段１１と、前記操作手段１１によって決定された操作履歴または外部機器からの信号の配信履歴を記録する記憶手段１２と、を備えた車両用表示装置であって、前記表示制御手段１３は、前記操作履歴または前記配信履歴に記録された機能または配信内容を示す前記アイコン画像２２を前後方向に順次配置したように見える前記画像を生成し、前記操作手段１１を、タッチパッド面１１ａを有するタッチパッドとし、前記表示制御手段１３は、前記タッチパッド面１１ａが指で前後に移動指示されたのに応じて、前記アイコン画像２２の配置を前後に移動させ、前記タッチパッド面１１ａを指で前後に移動指示する方向が前記アイコン画像２２が順次配置される前後方向となるように前記タッチパッド面１１ａを配設するものである。
【０００６】
また、本発明は、前記表示制御手段１３は、前記操作履歴または前記配信履歴に記録された機能または配信内容を示す前記アイコン画像２２をグループ毎にアイコン添付領域２１に配置し、前記操作履歴または前記配信履歴に記録された日時履歴または特性情報による優先度情報に基づいて前記アイコン添付領域２１の距離を変化させて配置されているように見える前記画像を生成するものである。
【０００７】
また、本発明は、前記表示制御手段１３が、前記タッチパッド面１１ａが何本の指で操作されたかに応じて、前記アイコン添付領域２１と、前記アイコン添付領域２１にある前記アイコン画像２２とのどちらが選択されたかを判定するものである。
【０００８】
また、本発明は、前記表示制御手段１３が、前記タッチパッド面を操作する指の本数が２本以上である場合に前記アイコン添付領域を選択し、前記タッチパッド面を操作する指の本数が１本である場合に前記アイコン添付領域にある前記アイコン画像を選択するものである。
【０００９】
また、本発明は、前記アイコン画像が順次配置される前後方向と、前記操作手段のタッチパッド面との位置関係が、平行であるものである。
【発明の効果】
【００１０】
機器の操作履歴または外部機器からの配信情報の履歴を記録し、その履歴情報を立体的に表示することにより、直感的に履歴情報を探索できる。
【図面の簡単な説明】
【００１１】
【図１】本発明の実施形態を示すブロック図。
【図２】同上実施形態を示す仮想立体空間の概念図。
【図３】同上実施形態を示す表示例の説明図。
【図４】同上実施形態を示す操作手段及び表示面の位置関係の説明図。
【図５】同上実施形態を示すアイコン添付面の位置関係の説明図。
【発明を実施するための形態】
【００１２】
以下、添付図面に基づいて、本発明の一実施形態を説明する。車両用表示装置１０は、操作手段１１，記憶手段１２，表示制御手段１３，表示手段１４を備えている。
【００１３】
操作手段１１は、タッチパッドからなり、ユーザーによって操作され、表示制御手段１３に操作情報を出力する。記憶手段１２は、半導体メモリからなるものであり、ユーザーの使用履歴を履歴情報として記憶する。記憶手段１２に記憶する履歴情報としては、車両用表示装置１０の操作履歴または、外部機器１５の機能の操作履歴または配信された情報であり、具体的には、カーナビ機能の目的地設定の履歴や、携帯電話の発着信履歴や、最近聴いた音楽の選択履歴がある。記憶手段１２には、各々の使用日時や現時点からの経過時間に基づく日時履歴や優先度を決定する特性情報による優先度情報が各々の履歴情報と共に記憶される。
【００１４】
表示制御手段１３は、操作手段１１からの操作情報と記憶手段１２からの履歴情報とに基づいて、履歴項目の配置方法を決定する。表示手段１４は、液晶ディスプレイ等のフラットパネルディスプレイからなるものであり、表示制御手段１３からの表示画像出力をユーザーに提示する。外部機器１５は、表示制御装置１０に接続される、または情報を入手することができる機器である。
【００１５】
図２は、表示制御手段１３によって仮想立体空間に配置する履歴情報を示している。仮想立体空間には、複数のアイコン添付面（アイコン添付領域）２１ａ，２１ｂ，２１ｃとアイコン２２ａ，２２ｂ，２２ｃとが配置されており、アイコン添付面２１ａ，２１ｂ，２１ｃは時間軸２３に沿って手前から奥行き方向へ配置されている。仮想立体空間の手前側には最近使用した内容のアイコン２２ａを配置し、奥に行くほど古い内容のアイコン２２ｂ，２２ｃを配置する。各アイコン添付面２１ａ，２１ｂ，２１ｃの配置間隔は、固定値または使用した日時から現時点までの経過時間に応じた配置間隔とする。
【００１６】
なお、時間軸２３上にアイコン添付面２１ａ，２１ｂ，２１ｃを配置する際、記憶手段１２に記憶されている優先度情報に基づいて、優先度が高い順に手前から奥へ配置し、各アイコン添付面２１ａ，２１ｂ，２１ｃの配置間隔は、固定値または優先度のレベルに応じた配置間隔としても良い。アイコン２２ａ，２２ｂ，２２ｃは履歴グループ毎にまとめ、１個のアイコン添付面２１ａ，２１ｂ，２１ｃに貼り付ける。履歴グループのグループ分けは、一定の期間内、または履歴内容のジャンルなどのルールに基づいて行う。
【００１７】
表示制御手段１３は、アイコン２２ａ，２２ｂ，２２ｃを配置した状態で、仮想カメラ視点２４から見た表示画像を出力する。このとき、仮想カメラ視点２４は、時間軸２３上にあってもよいし、その周辺の場所に位置させ、斜め方向からの視点となるよう設定しても良い。
【００１８】
図３は、表示制御手段１３から出力される表示画像の一例である。ここでアイコン２２ａ，２２ｂ，２２ｃは手前から奥へ配置されているように見え、新しいアイコン２２ａは手前に、古いアイコン２２ｃは奥にあるように見える。
【００１９】
次に、表示手段１４と操作手段１１の配置関係について説明する。図４は、操作手段１１のタッチパッド面１１ａと、表示手段１４の表示面１４ａの位置関係とを示す。なお、仮想立体空間は、表示面１４ａで見える空間であり、実際には図示したように横から見ることはできないが、表示面１４ａ越しに見える空間として図示している。タッチパッド面１１ａと仮想立体空間の奥行き方向は平行の関係にあり、この仮想立体空間の奥行き方向と表示面４ｃとが垂直の関係にある場合は、タッチパッド面１１ａと表示面１４ａとは垂直である。
【００２０】
ユーザーは、操作手段１１を２本以上の指で前後方向に移動指示することによって、全てのアイコン２２ａ，２２ｂ，２２ｃとそれが添付されているアイコン添付面２１ａ，２１ｂ，２１ｃを前後に移動させる。このとき、各アイコン２２ａ，２２ｂ，２２ｃの位置関係は変更しないものとし、配置されたアイコン２２ａ，２２ｂ，２２ｃの全てを移動させる。仮想カメラ視点２４よりも手前側になったアイコン添付面２１ａ，２１ｂ，２１ｃは非表示とする。
【００２１】
アイコン２２ａ，２２ｂ，２２ｃの移動量は操作手段１１からの連続的な移動量に伴い連続的に移動させるが、仮想カメラ視点２４がアイコン添付面２１ａ，２１ｂ，２１ｃの間の位置で操作手段１１からの移動指示が終了した場合、表示制御手段１３は、最も手前側に表示するアイコン添付面２１ａ，２１ｂ，２１ｃとの距離が一定になる仮想カメラ視点２４へ自動的に調整するように表示制御を行う。
【００２２】
例えば、図５に示すように、仮想カメラ視点２４ａがアイコン添付面２１ａとアイコン添付面２１ｂとの間で操作手段１１からの移動指示が終了したとき、表示制御手段１３は、仮想カメラ視点２４ａよりも手前側にあるアイコン添付面２１ａを非表示とすると共に、アイコン添付面２２ｂからの距離が一定になるように、仮想カメラ視点２４を調整する。
【００２３】
この制御により、表示サイズ２５を一定にすることができ、各アイコン２２ａ，２２ｂ，２２ｃのうち一つを選択する場合にユーザーが選択しやすくなる。なお、アイコン２２ａ，２２ｂ，２２ｃの内容によっては、自動位置調整なしに移動完了指示の終了位置で移動完了としても良い。
【００２４】
アイコン添付面２１ａ，２１ｂ，２１ｃを前後に移動させ、選択したいアイコン添付面２１ａ，２１ｂ，２１ｃが手前にあるような位置に表示させた後、操作手段１１のタッチパッド面１１ａを１本の指でタッチ操作することによってアイコン２２ａ，２２ｂ，２２ｃを選択でき、選択されたアイコン２２ａ，２２ｂ，２２ｃは、そのアイコン２２ａ，２２ｂ，２２ｃが選択されたことを示す表示に変更される。選択可能なアイコン２２ａ，２２ｂ，２２ｃは最も手前にあるアイコン添付面２１ａ，２１ｂ，２１ｃ上のアイコン２２ａ，２２ｂ，２２ｃのみとしても良いが、更に奥に配置されるアイコン２２を選択できるようにしても良い。
【００２５】
表示制御手段１３は、タッチパッド面１１ａで前後方向の指移動を行うことに応じてアイコン添付面２１ａ，２１ｂ，２１ｃを前後移動させるため、ユーザーは、直感的な操作を行うことができる。また、表示手段１４に表示される画像は、２次元的な表示に過ぎないが、透視図法による立体感によって直感性を確保することができる。
【００２６】
なお、３Ｄディスプレイなどを用いた立体映像表示可能な表示手段１４を用いることによって、さらに直感性を増すことができる。また、表示手段１４としてヘッドアップディスプレイを用いる場合は、ヘッドアップディスプレイの表示像面を前述の位置関係に配置できるような構成にすることで同様の効果が得られる。また、操作手段１０としては、タッチパッドの他に押しボタンスイッチやトラックボールや３次元入力操作インタフェースなどの別手段を用いても良い。また、本実施形態は、アイコン添付面２１ａ，２１ｂ，２１ｃにアイコン２２ａ，２２ｂ，２２ｃを配置するものであったが、例えば、所定の奥行きを有するアイコン添付空間にアイコン２２ａ，２２ｂ，２２ｃをグループ毎に配置しても良い。
【符号の説明】
【００２７】
１４  表示手段
１３  表示制御手段
１１  操作手段
１２  記憶手段
２２  アイコン
２１  アイコン添付面（アイコン添付領域）
【図１】
0005625630.tif 000002
【図２】
0005625630.tif 000003
【図３】
0005625630.tif 000004
【図４】
0005625630.tif 000005
【図５】
0005625630.tif 000006